【手続補正書】
【提出日】平成15年4月24日(2003.4.24)
【手続補正１】
【補正対象書類名】明細書
【補正対象項目名】特許請求の範囲
【補正方法】変更
【補正の内容】
【特許請求の範囲】
【請求項１】
軽量の面重量の１次カーペットおよびクッション層を含む表面被覆物、壁被覆物、フローリング、カーペットまたはカーペットタイル。
【請求項２】
軽量の面重量が約１５ｏｚ／ｙｄ2 以下である請求項１記載の表面被覆物、壁被覆物、フローリング、カーペットまたはカーペットタイル。
【請求項３】
前記１次カーペットと前記クッション層との間に接着剤層をさらに含む請求項１記載の表面被覆物、壁被覆物、フローリング、カーペット、またはカーペットタイル。
【請求項４】
補強材料をさらに含む請求項３記載の表面被覆物、壁被覆物、フローリング、カーペット、またはカーペットタイル。
【請求項５】
クッション層が約０．０４〜０．１２インチの厚さである請求項１記載の表面被覆物、壁被覆物、フローリング、カーペット、またはカーペットタイル。
【請求項６】
クッション層が約１５ｏｚ／ｙｄ2 未満のポリマー重量を有する請求項１記載の表面被覆物、壁被覆物、フローリング、カーペット、またはカーペットタイル。
【請求項７】
前記クッション層が約６〜９ｌｂ．／ｃｕ．ｆｔ．の密度を有する軽量クッションを含む請求項１記載の表面被覆物、壁被覆物、フローリング、カーペット、またはカーペットタイル。
【請求項８】
前記クッション層が立方フィート当り１６ｌｂｓ．の密度を有する軽量クッションを含む請求項１記載の表面被覆物、壁被覆物、フローリング、カーペット、またはカーペットタイル。
【請求項９】
弾力性および足下の快適さを有する請求項１記載の表面被覆物、壁被覆物、フローリング、カーペット、またはカーペットタイル。
【請求項１０】
厳しい商業上の使用にもかなう性能特性を示す請求項１記載の表面被覆物、壁被覆物、フローリング、カーペット、またはカーペットタイル。
【請求項１１】
前記クッション層に埋め込まれた補強材料をさらに含む請求項１記載の表面被覆物、壁被覆物、フローリング、カーペット、またはカーペットタイル。
【請求項１２】
前記軽量面重量カーペットが審美的に快い請求項１記載の表面被覆物、壁被覆物、フローリング、カーペット、またはカーペットタイル。
【請求項１３】
前記軽量面重量カーペットがヒートセットされていないシングルヤーンを用いて作られる請求項１記載の表面被覆物、壁被覆物、フローリング、カーペット、またはカーペットタイル。
【請求項１４】
軽量面重量１次カーペットおよび軽量クッション裏打ち材を含む軽量クッション裏打ちカーペットタイル。
【請求項１５】
軽量面重量が約１５ｏｚ／ｙｄ2 以下である請求項１４記載のカーペットタイル。
【請求項１６】
軽量１次カーペットおよび薄いクッション裏打ち材を備える軽量クッション裏打ちカーペット複合材料。
【請求項１７】
前記軽量カーペットが、約１５ｏｚ／ｙｄ2 以下の面重量を有する請求項１６記載のカーペット複合材料。
【請求項１８】
前記薄いクッション裏打ち材が約０．０４〜０．１２インチの厚さである請求項１６記載のカーペット複合材料。
【請求項１９】
軽量１次カーペット、薄いクッション裏打ち材および前記１次カーペットと薄いクッション裏打ち材との間にホットメルト層を備える軽量クッション裏打ちカーペットタイル。
【請求項２０】
前記カーペットタイルが、前記１次カーペット、ホットメルト層、および薄いクッション裏打ち材の中にまたは間に補強材料を含む請求項１９記載のカーペットタイル。
【請求項２１】
軽量１次カーペット前駆体、ラテックスプレコート接着剤、ホットメルト接着剤、ガラス繊維、ポリウレタンフォーム、およびフェルトの層状構造を備える軽量カーペットタイル。
【請求項２２】
軽量面重量１次カーペット、補強材料を含むホットメルト層、および不織布裏打ち材を有する薄いクッション層を備える軽量モジュラーカーペットタイル。
【請求項２３】
軽量面重量１次カーペット、ラテックスプレコート接着剤、ホットメルト接着剤、ガラス繊維、ポリウレタンフォームおよびフェルトの層状構造を備える軽量モジュラーカーペットタイル。
【請求項２４】
軽量１次カーペット、ホットメルト接着剤、ポリウレタンフォーム、およびフェルトの層状構造を備える軽量モジュラーカーペットタイル。
【請求項２５】
軽量１次カーペット、ホットメルト接着剤、ガラス繊維、およびポリウレタンフォームの層状構造を備える軽量モジュラーカーペットタイル。
【請求項２６】
軽量１次カーペット、ホットメルト接着剤、およびポリウレタンフォームの層状構造を備える軽量モジュラーカーペットタイル。
【請求項２７】
軽量１次カーペット、ビチューメンホットメルト層、ガラス繊維、ポリウレタンフォーム、およびフェルトの層状構造を備える軽量モジュラーカーペットタイル。
【請求項２８】
軽量１次カーペット、ホットメルト接着剤の第１の層、ガラス繊維、ホットメルト接着剤の第２の層、ポリウレタンフォーム、およびフェルトの層状構造を備える軽量モジュラーカーペットタイル。
【請求項２９】
軽量１次カーペット、ホットメルト接着剤の第１の層、ガラス繊維、ホットメルト接着剤の第２の層、ポリウレタンフォーム、およびフェルトの層状構造を備える軽量モジュラーカーペットタイル。
【請求項３０】
軽量１次カーペット前駆体、ガラス繊維、ラテックスプレコート接着剤、ホットメルト接着剤、ポリウレタンフォーム、およびフェルトの層状構造を備える軽量モジュラーカーペットタイル。
【請求項３１】
軽量モジュラーカーペットタイルを形成する方法であって、
積層体複合材料を作るために約１５ｏｚ／ｙｄ2 以下の面重量を有する軽量１次カーペット布帛の基部にガラス補強材料の層を接着剤により結合させる工程、
約０．０４〜０．１２インチの厚さのポリウレタンフォーム層を作るために不織布裏打ち材料の層と直接接触する関係に湿潤ポリウレタンフォーム形成組成物の層を配置する工程、
軽量モジュラーカーペット複合材料を形成するように前記ガラス補強材料に前記ポリウレタンフォーム層を結合させ、前記カーペット複合材料からカーペットタイルを切断する工程
を含む方法。
【請求項３２】
軽量モジュラーカーペット複合材料を形成する方法であって、
積層体複合材料を形成するように軽量１次カーペット布帛の基部にガラス補強材料の層を接着剤により結合させる工程、および約０．０４〜０．１２インチの厚さのポリウレタンフォーム層を提供するように、ガラス補強材料と直接接触関係に湿潤ポリウレタン形成組成物の層を配置する工程
を含む方法。
【請求項３３】
製造されるタイルがフローリング表面全体に別々のモジュラーユニットとして配置するのに適切である床用カーペットタイルを形成する方法であって、
軽量１次カーペット布帛の背面にラテックスプレコート接着剤の層を適用する工程、
前記ラテックスプレコート上にホットメルト接着剤を適用する工程、
織布または不織布裏打ち材料の少なくとも１つの上にポリウレタンフォームの層を形成し、そして、軽量モジュラーカーペット複合材料を形成するためにホットメルト接着剤にポリウレタンフォームを結合させる工程、
前記カーペット複合材料からカーペットタイルを切断する工程
を含む方法。
【請求項３４】
前記ホットメルト接着剤と前記ポリウレタンフォームとの間に補強材料を加える工程をさらに含む請求項３３記載の方法。
【請求項３５】
請求項３１記載の方法により製造される軽量カーペットタイル。
【請求項３６】
請求項３２記載の方法により製造される軽量カーペット複合材料。
【請求項３７】
請求項３３記載の方法により製造される床用カーペットタイル。
【請求項３８】
請求項３４記載の方法により製造される床用カーペットタイル。
【請求項３９】
軽量面重量材料およびクッション裏打ちを含む、壁被覆物、パネルカバーリング、フローリング、床被覆物、カーペット、カーペットタイルなどのような表面被覆物。
【請求項４０】
前記材料がデザイン、色彩、模様、およびそれらの組み合わせの少なくとも１つを有する上方表面を有する請求項３９記載の被覆物。
【請求項４１】
前記デザイン、色彩、模様、およびそれらの組み合わせが、注入染色、ジェット染色、印刷、およびそれらの組み合わせの少なくとも１つにより創出される請求項３７記載の被覆物。
【請求項４２】
前記被覆物が少なくとも３の六脚評点を有する請求項３９記載の被覆物。
【請求項４３】
前記被覆物が弾力性および足下の快適さを有する請求項３９記載の被覆物。
【請求項４４】
前記被覆物が１３０未満のＧｍａｘ試験結果を有する請求項３９記載の被覆物。
【請求項４５】
前記被覆物が２５を超える弾力性評点を有する請求項３９記載の被覆物。
【請求項４６】
前記被覆物が厳しい商業上の使用にかなう性能特性を示す請求項３９記載の被覆物。
【請求項４７】
前記被覆物が少なくとも３．５長期および少なくとも４．０短期の外観保持評点（ＡＲＲ）を有する請求項３９記載の被覆物。
【請求項４８】
前記被覆物が、ほんのわずかかまたは中位の色彩変化の六脚試験色彩変化試験結果を有する請求項３９記載の被覆物。
【請求項４９】
前記被覆物が少なくとも約７４％のパイル高さ保持の六脚試験パイル高さ保持の結果を有する請求項３９記載の被覆物。
【請求項５０】
約２０ｏｚ／ｙｄ2 未満の面重量を有する軽量面重量材料およびクッション裏打ち材を含むフローリング、床被覆物、カーペット、カーペットタイルなどのような表面被覆物。
【請求項５１】
軽量面重量材料、中間層、およびクッション裏打ちを含む、フローリング、床被覆物、カーペット、カーペットタイルなど。
【請求項５２】
良好な継ぎ合せ性を有する請求項５１記載のフローリング。
【請求項５３】
模様のある継ぎ目の無いデザインを有する請求項５１記載のフローリング。
【請求項５４】
タイルの間に外観の均一性を有する請求項５１記載のフローリング。
【請求項５５】
同一の染色ロット由来のタイル上に一定の色相を有する請求項５１記載のフローリング。
【請求項５６】
耐久性、つぶれにくさ、短いパイル、緻密な表面およびそれらの組み合わせの少なくとも１つを有する請求項５１記載のフローリング。
【請求項５７】
カーペット顧客にカーペットを販売する方法であって、顧客のカーペットのニーズの全てを満足させるために、標準クッション裏打ちカーペットタイル、軽量クッション裏打ちカーペットタイルおよび硬質裏打ちカーペットタイルのそれぞれの少なくとも１つを顧客に提示し、それにより広幅織りじゅうたんに置き換える工程を含む販売方法。
【請求項５８】
広幅織りじゅうたんの置換物としてカーペットタイルを販売する方法であって、設置された経費のかかる広幅織りじゅうたんと同じ価格で販売するために軽量クッション裏打ちカーペットタイルを提示する工程を含む販売方法。
【請求項５９】
ジェット染色に適合する軽量パイル材料、
および軽量クッション裏打ち材
を含むジェット染色模様カーペットのための基材。
【請求項６０】
前記パイル材料と前記クッション裏打ち材との間に接着剤層をさらに含む請求項５９記載の基材。
【請求項６１】
前記パイル材料、接着剤層、およびクッション裏打ち材の少なくとも１つの中に、または間に補強材料をさらに含む請求項６０記載の基材。
【請求項６２】
前記パイル材料が染色後にヒートセットされる請求項５９記載の基材。